(57)【要約】【課題】センサ装置の検知範囲を確保しやすい照明システム等を提供すること。【解決手段】照明システム１００は、センサ装置１０と、センサ装置１０とは別体の発光装置２０とを備える。センサ装置１０は、対象を検知するセンサ部１１と、センサ部１１の検知結果を無線送信する第一無線通信部１２とを有する。発光装置２０は、発光モジュール２５と、ソケットから発光モジュール２５が発光するための電力の供給を受けるために、当該ソケットに着脱自在に取り付けられる口金２１と、第一無線通信部１２によって無線送信された検知結果を受信する第二無線通信部２４と、制御部２３とを備える。制御部２３は、第二無線通信部２４によって受信された検知結果に基づいて発光モジュール２５の発光制御を行う。【選択図】図１
2017091930.tif 000002
【特許請求の範囲】
【請求項１】
センサ装置と、
前記センサ装置とは別体の発光装置とを備え、
前記センサ装置は、
対象を検知するセンサ部と、
前記センサ部の検知結果を無線送信する第一無線通信部とを有し、
前記発光装置は、
発光部と、
照明用の電力供給部から前記発光部が発光するための電力の供給を受けるために、当該電力供給部に着脱自在に取り付けられる受電部と、
前記第一無線通信部によって無線送信された前記検知結果を受信する第二無線通信部と、
前記第二無線通信部によって受信された前記検知結果に基づいて前記発光部の発光制御を行う制御部とを有する
照明システム。
【請求項２】
前記第一無線通信部はさらに、前記発光部の発光を停止させるための停止信号を無線送信し、
前記制御部は、前記発光部を発光させた後に、前記第二無線通信部が前記停止信号を受信した場合、前記発光部の発光を停止させる
請求項１記載の照明システム。
【請求項３】
前記第一無線通信部は、前記検知結果を無線送信してから所定期間が経過した後に、前記停止信号を無線送信する
請求項２記載の照明システム。
【請求項４】
前記センサ装置はさらに、前記所定期間の入力を受け付ける入力部を有し、
前記第一無線通信部は、前記入力部が前記所定期間の入力を受け付けた場合、前記検知結果を無線送信してから前記所定期間が経過した後に、前記停止信号を無線送信する
請求項３記載の照明システム。
【請求項５】
前記センサ装置はさらに、前記停止信号の送信の指示を受け付ける指示受付部を有し、
前記第一無線通信部は、前記指示受付部が前記指示を受け付けた場合、前記停止信号を無線送信する
請求項２記載の照明システム。
【請求項６】
前記センサ装置はさらに、前記センサ装置の動作のための電力の供給を受けるプラグを有する
請求項１〜５のいずれか１項に記載の照明システム。
【請求項７】
前記センサ装置はさらに、電池ホルダを有し、当該電池ホルダに保持された電池から供給される電力により動作する
請求項１〜５のいずれか１項に記載の照明システム。
【請求項８】
前記センサ部は、赤外線、音、煙、電圧、モーション、または、スイッチのオン及びオフを、前記対象として検知する
請求項１〜７のいずれか１項に記載の照明システム。
【請求項９】
前記センサ装置はさらに、前記センサ部の向きを変える機構を有する
請求項１〜８のいずれか１項に記載の照明システム。
【請求項１０】
前記第一無線通信部は、５μｍ以上１４μｍ以下の範囲以外の波長の電磁波を用いて前記検知結果を無線送信する
請求項１〜８のいずれか１項に記載の照明システム。
【請求項１１】
前記発光装置はさらに、前記発光部を覆う透光性のグローブであって、磁性体が含まれるグローブを有し、
前記センサ装置は、当該センサ装置を前記グローブに取り付けるための磁石を有する
請求項１〜１０のいずれか１項に記載の照明システム。
【請求項１２】
前記センサ装置は、前記受電部への電力供給のオン及びオフを切り替えるスイッチを覆うように配置されている
請求項１〜１１のいずれか１項に記載の照明システム。
【請求項１３】
部屋の中に人がいるか否かを当該部屋の外の人に提示する、人の在否提示システムであって、
前記部屋の中に設置されたセンサ装置と、
前記部屋の外に設置された、前記センサ装置とは別体の発光装置とを備え、
前記センサ装置は、
人を検知するセンサ部と、
前記センサ部の検知結果を無線送信する第一無線通信部とを有し、
前記発光装置は、
発光部と、
照明用の電力供給部から前記発光部が発光するための電力の供給を受けるために、当該電力供給部に着脱自在に取り付けられる受電部と、
前記第一無線通信部によって無線送信された前記検知結果を受信する第二無線通信部と、
前記第二無線通信部によって受信された前記検知結果が、人を検知したことを示す場合に、前記発光部を点灯または消灯させることによって前記部屋の中に人がいることを提示する制御部とを有する
人の在否提示システム。
【発明の詳細な説明】
【技術分野】
【０００１】
本発明は、センサ装置と発光装置とを備える照明システム等に関する。
【背景技術】
【０００２】
従来、センサ付きの発光装置が知られている。例えば、特許文献１には、人体から放出される赤外線を検知する人感センサを備える電球形ＬＥＤランプが開示されている。
【先行技術文献】
【特許文献】
【０００３】
【特許文献１】特開２０１１−２２８１５１号公報
【発明の概要】
【発明が解決しようとする課題】
【０００４】
上記のような電球形ＬＥＤランプにおいては、例えば、当該電球形ＬＥＤランプがランプシェードを有する照明器具に取り付けられた場合に、赤外線がランプシェードを透過しないため人感センサの検知範囲が狭まってしまうことがある。例えば、ランプシェードが電球形ＬＥＤランプを包んでしまう構成の照明器具に取り付けられると、上記電球形ＬＥＤランプは、人感センサ機能を発揮できない場合がある。
【０００５】
そこで、本発明は、センサ装置の検知範囲を確保しやすい照明システム等を提供する。
【課題を解決するための手段】
【０００６】
本発明の一態様に係る照明システムは、センサ装置と、前記センサ装置とは別体の発光装置とを備え、前記センサ装置は、対象を検知するセンサ部と、前記センサ部の検知結果を無線送信する第一無線通信部とを有し、前記発光装置は、発光部と、照明用の電力供給部から前記発光部が発光するための電力の供給を受けるために、当該電力供給部に着脱自在に取り付けられる受電部と、前記第一無線通信部によって無線送信された前記検知結果を受信する第二無線通信部と、前記第二無線通信部によって受信された前記検知結果に基づいて前記発光部の発光制御を行う制御部とを有する。
【０００７】
本発明の一態様に係る人の在否提示システムは、部屋の中に人がいるか否かを当該部屋の外の人に提示する、人の在否提示システムであって、前記部屋の中に設置されたセンサ装置と、前記部屋の外に設置された、前記センサ装置とは別体の発光装置とを備え、前記センサ装置は、人を検知するセンサ部と、前記センサ部の検知結果を無線送信する第一無線通信部とを有し、前記発光装置は、発光部と、照明用の電力供給部から前記発光部が発光するための電力の供給を受けるために、当該電力供給部に着脱自在に取り付けられる受電部と、前記第一無線通信部によって無線送信された前記検知結果を受信する第二無線通信部と、前記第二無線通信部によって受信された前記検知結果が、人を検知したことを示す場合に、前記発光部を点灯または消灯させることによって前記部屋の中に人がいることを提示する制御部とを有する。
【発明の効果】
【０００８】
本発明の照明システム等は、センサ装置の検知範囲を確保しやすい。
【図面の簡単な説明】
【０００９】
【図１】図１は、実施の形態１に係る照明システムの機能構成を示すブロック図である。
【図２】図２は、実施の形態１に係るセンサ装置をセンサ部側から見た外観斜視図である。
【図３】図３は、実施の形態１に係るセンサ装置を取り付け面側から見た外観斜視図である。
【図４】図４は、実施の形態１に係るセンサ装置の取り付け方法を説明するための図である。
【図５】図５は、実施の形態１に係る発光装置を備える照明装置の外観図である。
【図６】図６は、実施の形態１に係る発光装置の部分断面図である。
【図７】図７は、実施の形態１に係る照明システムの動作シーケンス図である。
【図８Ａ】図８Ａは、実施の形態１の変形例１に係るセンサ装置の例を示す第１の図である。
【図８Ｂ】図８Ｂは、実施の形態１の変形例１に係るセンサ装置の例を示す第２の図である。
【図８Ｃ】図８Ｃは、実施の形態１の変形例１に係るセンサ装置の例を示す第３の図である。
【図９】図９は、実施の形態１の変形例２に係る発光装置に取り付けられるセンサ装置の一例を示す図である。
【図１０】図１０は、実施の形態１の変形例３に係る人の在否提示システムの概要を説明するための図である。
【図１１】図１１は、実施の形態１の変形例４に係る照明システムの構成概要を示す図である。
【図１２】図１２は、実施の形態２に係るセンサ装置の外観を示す斜視図である。
【図１３】図１３は、実施の形態２に係るセンサ装置の配置態様の一例を示す斜視図である。
【図１４】図１４は、実施の形態２に係る照明システムの機能構成を示すブロック図である。
【図１５Ａ】図１５Ａは、実施の形態２に係る照明システムの動作例を示す第１の図である。
【図１５Ｂ】図１５Ｂは、実施の形態２に係る照明システムの動作例を示す第２の図である。
【図１６】図１６は、プラグを備えるセンサ装置の配置態様の一例を示す斜視図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［照明システムの構成］
まず、実施の形態１に係る照明システムの構成について説明する。図１は、実施の形態１に係る照明システムの機能構成を示すブロック図である。
【００１３】
図１に示されるように、実施の形態１に係る照明システム１００は、センサ装置１０と、発光装置２０とを備える。また、図１には、発光装置２０に交流電力を供給する電力系統３０も図示されている。
【００１４】
［センサ装置］
まず、センサ装置１０について、図１に加えて図２〜図４を参照しながら説明する。図２は、センサ装置１０をセンサ部１１側から見た外観斜視図である。図３は、センサ装置１０を取り付け面側から見た外観斜視図である。図４は、センサ装置１０の取り付け方法を説明するための図である。なお、以下のセンサ装置１０の説明では、取り付け面側が上、センサ部１１側が下として表現される場合がある。
【００１５】
図１〜図４に示されるように、センサ装置１０は、センサ部１１と、アンテナ１２ａを含む第一無線通信部１２と、電池１３と、電池ホルダ１４と、本体部１５と、可動機構１６と、カバー１７とを有する。センサ装置１０自体は、発光モジュール（発光部）を有しない。つまり、センサ装置１０自体は、照明光を発する機能（照明機能）を有しない。また、図示されないが、センサ装置１０は、制御部及び記憶部を備えてもよい。なお、図３では、本体部１５の内部を図示するために、本体部１５の上面側に取り付けられるカバー１７が外されている。
【００１６】
センサ部１１は、対象を検知するセンサモジュールである。実施の形態１では、センサ部１１は、具体的には、対象を検知し、検知結果に基づいて検知信号を出力する。検知信号は、どのような態様であってもよいが、例えば、対象を検知したときにはハイレベル、対象を検知していないときにはローレベルとなる２値のデジタル信号である。なお、検知信号は、センサ部１１が対象を検知したときのみ（または、センサ部１１が対象を検知していないときのみ）出力されてもよい。
【００１７】
実施の形態１では、センサ部１１は、いわゆる人感センサモジュールであり、人の体から発せられる赤外線を上記対象として検知する。つまり、センサ部１１は、人を検知することができる。
【００１８】
センサ部１１は、可動機構１６に取り付けられ、可動機構１６が本体部１５に対して動くことにより、検知範囲が変更される。
【００１９】
なお、センサ部１１は、赤外線以外を検知してもよく、検知の対象は特に限定されない。また、センサ部１１は、対象を非接触で検知してもよいし、対象に接触して検知を行ってもよい。
【００２０】
例えば、センサ部１１は、音を検知してもよい。この場合、センサ部１１には、汎用の音センサが適用できる。センサ部１１が音を検知することにより、音が所定値よりも大きい場合に、発光装置２０を点灯させる制御が可能となる。なお、音が所定値よりも大きい場合は、言い換えれば、人がいると推定される場合である。
【００２１】
また、センサ部１１は、センサ部１１の周辺の照度、温度、または振動などを検知してもよい。この場合、センサ部１１には、汎用の照度センサ、汎用の温度センサ、または、汎用の振動センサが適用できる。センサ部１１がセンサ部１１の周辺の照度、温度、または振動などを検知することにより、照度、温度、または振動が所定値よりも大きい場合に（または所定値以下の場合に）、発光装置２０を点灯させる（または消灯させる）制御が可能となる。
【００２２】
また、センサ部１１は、煙または電圧を検知してもよい。この場合、センサ部１１には、汎用の煙センサ、または、汎用の電圧センサが適用できる。センサ部１１がセンサ部１１の煙、または、電圧などを検知することにより、煙の量または電圧が所定値よりも大きい場合に（または所定値以下の場合に）、発光装置２０を点灯させる（または消灯させる）制御が可能となる。
【００２３】
また、センサ部１１は、分岐回路の停電を検知してもよい。この場合、センサ部１１は、ＣＴ（Ｃｕｒｒｅｎｔ  Ｔｒａｎｓｆｏｒｍｅｒ）などの計器用変流器を有する。この場合、発光装置２０がセンサ部１１の検知対象となる第一分岐回路とは異なる第二分岐回路から電力供給を受けており、かつ、第一分岐回路のみが停電した場合に、発光装置２０を点灯させる制御が可能となる。
【００２４】
また、センサ部１１は、人（ユーザ）のモーションを検出してもよい。モーションの検出は、例えば、センサ部１１に反射型の測距センサ（モーションセンサ）を適用することによって実現可能である。
【００２５】
また、センサ部１１は、スイッチのオン及びオフを検出してもよい。この場合、センサ部１１は、スイッチのオン及びオフを検知する検知回路（検知ＩＣ）または、画面に表示された画像上のスイッチのオン及びオフ（画面へのタッチ）を検知するタッチパネルなどにより実現される。センサ部１１がスイッチのオン及びオフを検知することにより、スイッチのオン及びオフに応じて、発光装置２０を点灯させる制御が可能となる。
【００２６】
第一無線通信部１２は、センサ部１１の検知結果を無線送信する。第一無線通信部１２は、例えば、センサ部１１から出力される検知信号に基づいて、制御信号を検知結果として第二無線通信部２４に送信する。実施の形態１では、制御信号は、センサ部１１が人を検知したときに送信されるが、センサ部１１が人を検知していないときに送信されてもよい。また、センサ部１１が人を検知したときには、人を検知したことを示す制御信号が送信され、センサ部１１が人を検知していないときには、人を検知していないことを示す制御信号が送信されてもよい。
【００２７】
第一無線通信部１２は、アンテナ１２ａと、通信回路（図１〜図３において図示せず）とからなる通信モジュールである。第一無線通信部１２は、例えば、特定小電力無線、ｂｌｕｅｔｏｏｔｈ（登録商標）、ＺｉｇＢｅｅ（登録商標）、または無線ＬＡＮ（例えば、Ｗｉ−Ｆｉ（登録商標））などの通信規格に対応した通信モジュールである。しかし、第一無線通信部１２は、赤外線により通信を行う通信モジュールであってもよいし、微弱無線通信を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）モジュールであってもよい。第一無線通信部１２は、２．４ＧＨｚ帯の電磁波を用いて通信を行ってもよいし、５ＧＨｚ帯の電磁波を用いて通信を行ってもよい。また、第一無線通信部１２は、１０．５ＧＨｚ帯の電磁波を用いて通信を行ってもよいし、２４．２ＧＨｚ帯の電磁波を用いて通信を行ってもよい。
【００２８】
なお、第一無線通信部１２が発する電磁波は、図５を用いて後述するランプシェード４２を透過できることが好ましい。ランプシェード４２は、樹脂またはガラスによって形成されることが一般的であるため、第一無線通信部１２は、樹脂及びガラスの少なくとも一方を透過する周波数の電磁波を発するとよい。第一無線通信部１２は、具体的には、波長が１００μｍ以上（周波数が３ＴＨｚ以下）の電磁波である電波により無線通信を行ってもよい。なお、図２と図３とではセンサ装置１０のアンテナ１２ａの向きが変わっているが、第一無線通信部１２が有するアンテナ１２ａの向きは手動で変更可能である。
【００２９】
電池１３は、センサ装置１０の電源である。つまり、センサ装置１０（センサ部１１、及び、第一無線通信部１２）は、電池１３から供給される直流電力により動作する。電池１３は、具体的には、乾電池であるが、ボタン型電池であってもよい。また、電池１３は、充電式の電池であってもよい。また、実施の形態１では、センサ装置１０には２つの電池１３が使用されるが、電池１３の個数は特に限定されない。
【００３０】
電池ホルダ１４は、電池１３を収容し、かつ、保持する。電池ホルダ１４は、電池１３を収容する、電池１３に対応した形状及び大きさの凹部１４ａと、凹部１４ａに収容された電池１３を保持する保持爪１４ｂとからなる。電池ホルダ１４は、本体部１５と一体形成されている。
【００３１】
なお、電池１３及び電池ホルダ１４は必須の構成要素ではない。センサ装置１０は、電力系統３０、または、ＵＳＢ電源などの外部電源から電力の供給を受けてもよい。ただし、センサ装置１０が、内蔵する電池１３から供給される電力で動作する場合、ケーブルで接続された外部電源から供給される電力で動作する場合と比較すると、センサ装置１０の設置場所の自由度が高い。
【００３２】
本体部１５は、センサ部１１の一部、及び、第一無線通信部１２の一部（主として通信回路）を収容する樹脂製の筐体である。本体部１５は、平面視形状が円形の扁平状（平たい円柱状）である。
【００３３】
本体部１５の下面側からは、センサ部１１の一部が外部に露出している。本体部１５の上面側には、凹部１４ａを覆うカバー１７であって、取り付け面を構成するカバー１７（図４で図示）が取り付けられる。本体部１５の側面には、アンテナ１２ａが、当該アンテナ１２ａの向きを変更可能な状態で取り付けられている。本体部１５（電池ホルダ１４を含む）、及び、カバー１７は、例えば、ＰＢＴなどの樹脂により形成されるが、金属により形成されてもよい。
【００３４】
可動機構１６は、センサ部１１の向きを変えるための機構の一例であり、センサ部１１が取り付けられる。図２の矢印に示されるように、可動機構１６は、本体部１５にボールジョイントされることにより、本体部１５に対してフレキシブルに可動である。可動機構１６は、本体部１５と相対的な位置関係を変更できる機構であればよく、どのような態様であってもよい。
【００３５】
カバー１７は、取り付け部材としても機能する。本体部１５の上面側に取り付けられ、凹部１４ａを覆う、平面視形状が略円形のカバーである。
【００３６】
カバー１７は、センサ部１１の取り付け面を構成し、センサ装置１０の取り付け部材としても機能する。以下、センサ装置１０の取り付け方法について図４を参照しながら説明する。
【００３７】
まず、カバー１７を壁または天井などの取り付け対象の構造物に木ねじ１９でねじ止めする。具体的には、カバー１７に設けられた２つのねじ挿通孔１８のそれぞれに木ねじ１９が挿通され、木ねじ１９が構造物にねじ止めされることにより、カバー１７が構造物に固定される。その後、カバー１７に本体部１５が回し入れられることにより、カバー１７と本体部１５とが固定される。これにより、センサ装置１０が構造物に取り付けられる。なお、このような取り付け方法は一例であり、センサ装置１０の取り付け方法は特に限定されない。
【００３８】
［発光装置］
次に、発光装置２０について、図１に加えて図５及び図６を参照しながら説明する。図５は、発光装置２０を備える照明装置５０の外観図である。図６は、発光装置２０の部分断面図（模式図）である。
【００３９】
図５に示されるように、照明装置５０は、例えば、室内の天井６０に取り付けられて使用される。照明装置５０は、発光装置２０と、照明器具４０とを備える。
【００４０】
照明器具４０は、器具本体４１と、ランプシェード４２とを備える。
【００４１】
器具本体４１は、天井６０に取り付けられる、ソケット４１ａを有する。ソケット４１ａは、照明用の電力供給部の一例である。ソケット４１ａには、発光装置２０の口金２１がねじ込まれ、発光装置２０には、ソケット４１ａを介して電力系統３０から交流電力が供給される。
【００４２】
ランプシェード４２は、例えば、透光性を有する樹脂、又は、透光性を有するガラスにより形成され、発光装置２０の周囲を覆う。
【００４３】
図１、図５、及び図６に示されるように、発光装置２０は、電球形ランプであって、口金２１と、電力変換部２２と、制御部２３と、第二無線通信部２４と、発光モジュール２５と、筐体２６と、グローブ２７と、回路ケース２８と、基板２９と、記憶部２３ａとを備える。なお、図６では、制御部２３、第二無線通信部２４、及び、回路ケース２８は、破線で図示されている。第二無線通信部２４には、基板２９に実装された、アンテナ２４ａ及び通信回路２４ｂが含まれる。なお、発光装置２０自体は、センサ部（センサ機能）を有しない。
【００４４】
図５及び図６に示されるように、発光装置２０の外囲器は、口金２１と、筐体２６と、グローブ２７とによって構成される。当該外囲器内には、発光モジュール２５と、電力変換部２２、制御部２３、第二無線通信部２４、及びアンテナ２４ａが実装された基板２９と、回路ケース２８とが収容されている。
【００４５】
グローブ２７は、発光モジュール２５から放出される光をランプ外部に放射させるための半球状の透光性カバーである。グローブ２７は、例えば、樹脂又はガラスにより形成される。グローブ２７の内側には、基板２９の一部（アンテナ２４ａ及び通信回路２４ｂが実装された部分）と、発光モジュール２５と、回路ケース２８とが配置されている。つまり、基板２９の一部と、発光モジュール２５と、回路ケース２８とは、グローブ２７によって覆われている。グローブ２７の内面に入射した発光モジュール２５の光は、グローブ２７を透過してグローブ２７の外部に取り出される。
【００４６】
筐体２６は、グローブ２７と、口金２１との間に配置され、基板２９の一部（電力変換部２２及び制御部２３が実装された部分）を収容する。筐体２６は、両端が開口するケースであって、グローブ側から口金側へ向けて縮径した略円筒形状である略円錐台部材によって構成されている。筐体２６は、例えば、アルミダイキャストなどの金属により形成されるが、樹脂により形成されてもよい。
【００４７】
回路ケース２８は、基板２９のうち、グローブ２７側に位置する部分を覆う樹脂製のケースである。
【００４８】
口金２１は、発光モジュール２５が発光するための電力が外部から供給される金属部材である。口金２１は、二接点によって交流電力を受電するための受電部であり、照明器具４０のソケット４１ａに取り付けられる。口金２１は、照明用光源に対応した構造の照明用の電力供給部（例えば、ソケット４１ａ）から電力の供給を受けるために、当該照明用の電力供給部に着脱自在に取り付けられる受電部の一例である。
【００４９】
口金２１は、例えば、ねじ込み型のエジソンタイプ（Ｅ型）のように規格化された構造（形状及び大きさ）の口金である。したがって、口金２１は、照明器具４０などの既存の照明器具に容易に取り付けられることができる。なお、口金２１は、給電用のワイヤにより、電力変換部２２と電気的に接続されている。
【００５０】
電力変換部２２は、照明器具４０から供給される交流電力を直流電力に変換して制御部２３及び第二無線通信部２４に供給する。電力変換部２２は、具体的には、例えば、４つのダイオードで構成されるブリッジ型全波整流回路などを含む電源回路により実現されるが、ＡＣ−ＤＣコンバータＩＣ及びＤＣ−ＤＣコンバータＩＣなどによって実現されてもよい。
【００５１】
制御部２３は、電力変換部２２から供給される電力によって動作する。制御部２３は、センサ装置１０の第一無線通信部１２によって送信された制御信号（検知結果）であって、第二無線通信部２４によって受信された制御信号に基づいて発光モジュール２５の発光制御を行う。発光制御には、点灯、消灯、調光制御、及び、調色制御などが含まれる。
【００５２】
実施の形態１では、制御部２３は、制御信号が第二無線通信部２４によって受信されたことを契機に発光モジュール２５を所定期間点灯させた後、消灯させる。制御部２３は、第二無線通信部２４によって受信された制御信号に応じて発光モジュール２５への電力の供給の有無を切り替える回路であるが、一部または全部がマイクロコンピュータまたはプロセッサによって実現されてもよい。
【００５３】
なお、制御部２３は、発光モジュール２５の調光機能または調色機能に対応していてもよい。この場合、制御部２３は、例えば、第二無線通信部２４によって受信された制御信号に応じてスイッチング制御状態を変更し、発光モジュール２５に供給する電力を調整するチョッパ制御回路により実現される。
【００５４】
制御部２３は、具体的には、制御信号が第二無線通信部２４によって受信されたことを契機に発光モジュール２５を明るく（または暗く）発光させてもよい。また、制御部２３は、制御信号が第二無線通信部２４によって受信されたことを契機に発光モジュール２５の色温度を上げてもよいし、下げてもよい。なお、チョッパ制御回路とは、具体的には、ＰＷＭ（Ｐｕｌｓｅ  Ｗｉｄｔｈ  Ｍｏｄｕｌａｔｉｏｎ）回路、または、ＰＦＭ（Ｐｕｌｓｅ  Ｆｒｅｑｕｅｎｃｙ  Ｍｏｄｕｌａｔｉｏｎ）回路などである。なお、調色機能は、発光モジュール２５において発光色の異なる２種類のＬＥＤチップが実装され、これら２種類のＬＥＤチップがそれぞれ調光されることにより実現される。
【００５５】
第二無線通信部２４は、第一無線通信部１２によって無線送信される制御信号を受信する。第二無線通信部２４は、基板２９に実装されたパターンアンテナであるアンテナ２４ａと、基板２９に実装された通信回路２４ｂとからなる通信モジュールである。なお、アンテナ２４ａは、パターンアンテナに限定されず、チップアンテナなどであってもよい。また、センサ装置１０と同様に、アンテナ２４ａは、外囲器の外側に配置されてもよい。
【００５６】
第二無線通信部２４は、第一無線通信部１２と同じ方式の無線通信が可能な通信モジュールであればよい。第二無線通信部２４は、例えば、特定小電力無線、ｂｌｕｅｔｏｏｔｈ（登録商標）、ＺｉｇＢｅｅ（登録商標）、または無線ＬＡＮ（例えば、Ｗｉ−Ｆｉ（登録商標））などの通信規格に対応した通信モジュールであるが、赤外線により通信を行う通信モジュールであってもよいし、微弱無線通信を行うＵＡＲＴモジュールであってもよい。
【００５７】
なお、実施の形態１では、第一無線通信部１２が送信機として機能し、第二無線通信部２４が受信機として機能することにより、一方向の無線通信が行われるが、双方向の無線通信が行われてもよい。
【００５８】
発光モジュール２５は、発光部の一例であって、略円環状の基板２５ｂの一方の主面（グローブ２７側の主面）に複数のＬＥＤ素子２５ａが実装されることに形成される。発光モジュール２５は、制御部２３から供給される直流電力により主としてグローブ２７側に向かって発光する。制御部２３と発光モジュール２５とは図示されないケーブルによって電気的に接続されている。
【００５９】
基板２５ｂは、円環板状であり、ＬＥＤ素子２５ａが実装された主面がグローブ２７側を向くように筐体２６に載置される。基板２５ｂは、例えば、樹脂基板、メタルベース基板またはセラミック基板などである。基板２５ｂの主開口には、アンテナ２４ａをグローブ２７側に配置するために基板２９が挿通される。
【００６０】
ＬＥＤ素子２５ａは、例えば、凹部を有する樹脂製の容器と、凹部の中に実装されたＬＥＤチップと、凹部内に封入された封止部材（蛍光体含有樹脂）とを有するＳＭＤ（Ｓｕｒｆａｃｅ  Ｍｏｕｎｔ  Ｄｅｖｉｃｅ）構造のＬＥＤ素子であり、白色光を発する。このように、実施の形態１では、発光モジュール２５は、ＳＭＤ構造であるが、基板２５ｂに直接実装されたＬＥＤチップが封止部材で封止されたＣＯＢ（Ｃｈｉｐ  Ｏｎ  Ｂｏａｒｄ）構造の発光モジュールであってもよい。
【００６１】
また、発光モジュール２５が発する光は、昼光色、昼白色、または電球色などの白色光であるが、発光モジュール２５が発する光の色は特に限定されない。発光装置２０は、赤色、緑色、または青色などの原色で発光してもよい。
【００６２】
基板２９は、電力変換部２２、制御部２３、アンテナ２４ａ、及び、通信回路２４ｂなどが実装される基板である。基板２９は、例えば、樹脂基板、メタルベース基板またはセラミック基板などである。
【００６３】
記憶部２３ａは、半導体メモリなどの記憶装置である。例えば、センサ装置１０と発光装置２０とが無線のペアリングなどを行う場合には、記憶部２３ａには、センサ装置１０のアドレスなど、ペアリングに必要な情報が記憶される。また、例えば、制御部２３がプロセッサとして実現される場合、記憶部２３ａには、当該プロセッサにより実行されるプログラムが記憶される。なお、発光装置２０は、記憶部２３ａを有しなくてもよい。
【００６４】
［照明システムの動作］
次に、照明システム１００の動作について説明する。図７は、照明システム１００の動作シーケンス図である。
【００６５】
センサ装置１０のセンサ部１１は、人（赤外線）を検知しているか否かの判定を行う（Ｓ１１）。センサ部１１は、人を検知していない場合には（Ｓ１１でＮｏ）、検知を継続する（Ｓ１１）。センサ部１１は、人を検知した場合（Ｓ１１でＹｅｓ）、検知信号を第一無線通信部１２に出力する。第一無線通信部１２は、検知信号に応じて、発光装置２０の第二無線通信部２４に制御信号（検知結果）を送信する（Ｓ１２）。
【００６６】
第二無線通信部２４が、制御信号（検知結果）を受信すると（Ｓ１３）、制御部２３は、発光モジュール２５を所定期間点灯させた後、消灯させる。
【００６７】
［効果等］
従来の、人感センサを備える電球形ランプでは、人の体から発せられる赤外線が樹脂及びガラスを透過しないため、樹脂またはガラスにより形成されたランプシェードを有する照明器具に取り付けた場合に、検知範囲が狭められてしまうことが課題であった。
【００６８】
特に、ランプシェードが電球形ランプを完全に包んでしまう構成の照明器具に取り付けられると、上記電球形ランプは、人感センサ機能を発揮できない課題がある。
【００６９】
これに対し、実施の形態１に係る照明システム１００は、センサ装置１０と、センサ装置１０とは別体の発光装置２０とを備える。センサ装置１０は、対象を検知するセンサ部１１と、センサ部１１の検知結果を無線送信する第一無線通信部１２とを有する。発光装置２０は、発光モジュール２５と、ソケット４１ａから発光モジュール２５が発光するための電力の供給を受けるために、ソケット４１ａに着脱自在に取り付けられる口金２１と、第一無線通信部１２によって無線送信された検知結果を受信する第二無線通信部２４と、制御部２３とを有する。制御部２３は、第二無線通信部２４によって受信された検知結果に基づいて発光モジュール２５の発光制御を行う。つまり、発光モジュール２５は、第二無線通信部２４によって受信された検知結果に基づいて発光する。発光モジュール２５は、発光部の一例であり、ソケット４１ａは、照明用の電力供給部の一例であり、口金２１は、受電部の一例である。
【００７０】
このように、センサ装置１０と、センサ装置１０とは別体の発光装置２０とが無線通信を行う構成によれば、センサ装置１０をランプシェード４２の外側に配置することができる。また、センサ装置１０の配置の自由度が極めて高い。よって、センサ装置１０の検知範囲を確保しやすい効果が得られる。また、発光装置２０が既存の照明器具のソケット４１ａに着脱自在に取り付けられる口金２１を有するため、工事などを行うことなく既存の照明器具に簡単にセンサ機能を付与することができる。
【００７１】
また、従来の人感センサを備える電球形ランプは、光源が発光することにより生じる熱によってセンサが誤動作する場合がある。
【００７２】
これに対し、照明システム１００のようにセンサ装置１０と、発光装置２０とが別体であれば、センサ装置１０と発光装置２０とが離れて設置されることにより、発光装置２０の発熱によるセンサ装置１０の誤動作の発生を低減することができる。
【００７３】
また、人感センサを備える電球形ランプにおいては、人感センサが、ランプ軸上においてグローブよりも光出射側に出っ張るように設けられる構成が一般的である。ここで、ランプ軸が傾けられた状態（例えば、横向き）で電球形ランプを保持する照明器具などにおいては、人感センサの出っ張りが邪魔になり、人感センサを備える電球形ランプが取り付けられない場合がある。
【００７４】
これに対し、照明システム１００においては、センサ装置１０と、発光装置２０とが別体であり、発光装置２０が既存の照明器具のソケットに取り付け可能な口金２１を有する。
【００７５】
したがって、照明システム１００は、上記のようなランプ軸が傾けられた状態で電球形ランプを保持する照明器具に対してもセンサ機能を付与することができる。つまり、照明システム１００は、各種照明器具に幅広く適用できる利点がある。
【００７６】
また、センサ装置１０は、さらに、電池ホルダ１４を有し、当該電池ホルダ１４に保持された電池１３から供給される電力により動作してもよい。
【００７７】
これにより、センサ装置１０の電源確保のために設置場所が制限されないため、センサ装置１０の設置場所の自由度を高めることができる。
【００７８】
また、センサ部１１は、赤外線、音、煙、電圧、モーション、または、スイッチのオン及びオフを、対象として検知してもよい。
【００７９】
これにより、照明システム１００は、赤外線の検知、音の検知、煙の検知、電圧の検知、モーションの検知、または、スイッチのオン及びオフの検知に基づいて発光装置の発光制御を行うことができる。なお、後述する実施の形態２では、センサ部が、人感センサ及び照度センサを備える場合のセンサ装置の動作等について説明する。
【００８０】
また、センサ装置１０は、さらに、センサ部１１の向きを変える可動機構１６を有してもよい。
【００８１】
これにより、センサ部１１の検知範囲を変更できるため、センサ装置１０の設置場所の自由度を高めることができる。
【００８２】
また、第一無線通信部１２は、５μｍ以上１４μｍ以下の範囲以外の波長の電磁波を用いて通信をしてもよい。
【００８３】
これにより、第一無線通信部１２は、汎用の人感センサで用いられない波長帯域を使用して通信を行うことができる。
【００８４】
また、第一無線通信部１２は、波長が１００μｍ以上の電磁波を用いて検知結果を無線送信してもよい。
【００８５】
これにより、第一無線通信部１２が送信する電磁波が樹脂またはガラスを透過するため、センサ装置１０と発光装置２０との間に樹脂又はガラスが介在していてもセンサ装置１０と発光装置２０と間で無線通信が可能となる。つまり、センサ装置１０の設置場所の自由度を高めることができる。
【００８６】
［変形例１］
上記実施の形態１では、センサ装置１０は、構造物にねじ止めされたが、このようなセンサ装置１０の取り付け方法は、一例である。以下、センサ装置１０の取り付けの変形例について説明する。図８Ａ〜図８Ｃのそれぞれは、実施の形態１の変形例１に係るセンサ装置１０の例を示す図である。なお、図８Ａ〜図８Ｃに示されるセンサ装置において、センサ装置１０と実質的に同一の構成要素については、同一の符号が付され、詳細な説明が省略される。
【００８７】
図８Ａに示されるセンサ装置１０ａは、本体部１５の側面に、当該側面からアーチ状に突出することにより開口を形成する開口部１５ａを有する。開口部１５ａの数は、特に限定されないが、図８Ａの例では、開口部１５ａは、本体部１５の側面に２つ設けられている。なお、センサ装置１０ａが備えるカバー１７ａは、ねじ挿通孔１８が設けられていない点を除いて、カバー１７とほぼ同一である。
【００８８】
センサ装置１０ａは、例えば、このような開口部１５ａを利用して、壁に設けられたフックピンに引っ掛けられてもよい。また、センサ装置１０ａは、このような開口部１５ａを利用して、壁または天井に画鋲で留められてもよい。
【００８９】
また、図８Ｂに示されるセンサ装置１０ｂは、取り付け面を構成するカバー１７ａに吸盤１７ｂが設けられている。センサ装置１０ｂは、このような吸盤１７ｂの吸着により構造物に取り付けられてもよい。これにより、センサ装置１０ｂが取り付けられる構造物に加工をすることなくセンサ装置１０ｂを取り付けることができる。
【００９０】
また、図８Ｃに示されるセンサ装置１０ｃは、取り付け面を構成するカバー１７ａに磁石１７ｃが設けられている。センサ装置１０ｃは、このような磁石の磁力により金属製の構造物に取り付けられてもよい。これにより、センサ装置１０ｃが取り付けられる構造物に加工をすることなくセンサ装置１０ｂ取り付けることができる。
【００９１】
なお、磁石は、具体的には、永久磁石であるが、電磁石であってもよい。また、金属製の構造物は、例えば、金属製のドアなどである。
【００９２】
また、上記以外に、センサ装置１０は、例えば、接着テープまたは接着剤により構造物に取り付けられてもよい。
【００９３】
［変形例２］
センサ装置１０は、発光装置２０に取り付けられてもよい。図９は、発光装置に取り付けられるセンサ装置の一例を示す図である。なお、図９に示されるセンサ装置及び発光装置２０において、センサ装置１０及び発光装置２０と実質的に同一の構成要素については、同一の符号が付され、詳細な説明が省略される。例えば、図９に示されるセンサ装置１０ｄは、センサ装置１０よりも小型であり、形状なども異なるが、同一の機能を有する構成要素には、センサ装置１０と同一の符号が付される。
【００９４】
図９の例では、センサ装置１０ｄは、発光装置２０ｄのグローブ２７ｄに着脱自在に取り付けられる。センサ装置１０ｄは、当該センサ装置１０ｄをグローブ２７ｄに取り付けるための取り付け構造として、本体部１５の側面から突出した凸部１５ｄを有する。
【００９５】
発光装置２０ｄのグローブ２７ｄには、凸部１５ｄに対応した大きさ及び形状の凹部２７ａが複数設けられる。凹部２７ａは、グローブ２７ｄのうち、外面側から内面側に凹んだ部分である。
【００９６】
このような取り付け構造により、センサ装置１０ｄは、凸部１５ｄがグローブ２７ｄに設けられた複数の凹部２７ａのいずれかに差し込まれる（嵌合する）ことにより、発光装置２０に容易に取り付けられる。また、センサ装置１０ｄのグローブ２７ｄからの取り外しも容易である。また、複数の凹部２７ａが設けられているため、グローブ２７ｄ内におけるセンサ装置１０ｄの取り付け位置の変更も容易である。
【００９７】
なお、このような取り付け構造は、一例である。センサ装置１０ｄは、他の方法により発光装置に取り付けられてもよい。
【００９８】
例えば、センサ装置１０ｄは、グローブ２７に係合してもよいし、グローブ２７に噛合してもよい。
【００９９】
また、例えば、発光装置２０が有するグローブ２７の基材（樹脂又はガラス）に磁性体が混練されていれば、センサ装置１０ｄは、凸部１５ｄに代えて磁石を備えることにより、磁性体を含むグローブ２７に取り付けられることができる。
【０１００】
このように、発光装置２０は、さらに、発光モジュール２５を覆う透光性のグローブ２７であって、磁性体が含まれるグローブ２７を有してもよい。このとき、センサ装置１０ｄは、当該センサ装置１０ｄをグローブ２７に取り付けるための磁石を有してもよい。
【０１０１】
また、グローブ２７の内面または外面に磁性体で形成されたネットを張り巡らせておいてもよい。このような構成によっても磁石を有するセンサ装置１０ｄをグローブ２７に取り付けることができる。なお、このようなネットは、発光装置２０の放熱部材としても機能する。
【０１０２】
なお、センサ装置１０ｄは、発光装置２０（または発光装置２０ｄ）から給電を受けてもよい。この場合、発光装置２０は、筐体２６に、センサ装置１０ｄに直流電力を供給するための電力供給部を備える。この電力供給部は、具体的には、例えば、ＵＳＢポートまたはミニＵＳＢポートである。この電力供給部には、電力変換部２２から直流電力が供給される。センサ装置１０ｄは、このような電力供給部に電気的及び機械的に接続可能な端子を有することにより、発光装置２０から給電を受けることができる。
【０１０３】
［変形例３］
実施の形態１では、本発明を照明システム１００として実現する例について説明されたが、本発明は、照明以外の用途のシステムとして実現されてもよい。
【０１０４】
センサ装置１０と発光装置２０とは、通常、同じ空間に配置されるが、センサ装置１０と発光装置２０とが別体であることを利用してそれぞれ別の空間に配置されてもよい。例えば、本発明は、センサ装置１０が部屋の中に配置され、発光装置２０が当該部屋の外に配置されることにより、部屋の中に人がいるか否かを室外の人に提示する、人の在否提示システムとして実現されてもよい。図１０は、人の在否提示システムの概要を説明するための図である。
【０１０５】
図１０に示される人の在否提示システム２００は、部屋の中に設置されたセンサ装置１０と、当該部屋の外に設置された、センサ装置１０とは別体の発光装置２０とを備える。
【０１０６】
上述のように、センサ装置１０は、人を検知するセンサ部１１と、センサ部１１の検知結果を無線送信する第一無線通信部１２とを有する。
【０１０７】
発光装置２０は、発光モジュール２５と、既存の照明器具のソケット等から発光モジュール２５が発光するための電力の供給を受けるために、ソケット等に着脱自在に取り付けられる口金２１と、第一無線通信部１２によって無線送信された検知結果を受信する第二無線通信部２４と、制御部２３とを有する。制御部２３は、第二無線通信部２４によって受信された検知結果が人を検知したことを示す場合に、発光モジュール２５を点灯させることによって部屋の中に人がいることを提示する。
【０１０８】
これにより、人の在否提示システム２００は、部屋の中に人がいるか否かを当該部屋の外の人に提示することができる。
【０１０９】
なお、上記人の在否提示システム２００においては、センサ装置１０が人を検知していないときには発光装置２０が消灯し、センサ装置１０が人を検知したときに発光装置２０が点灯する。しかしながら、人の在否提示システム２００において、制御部２３は、第二無線通信部２４によって受信された検知結果が人を検知したことを示す場合に、発光モジュール２５を消灯させることによって部屋の中に人がいることを提示してもよい。つまり、センサ装置１０が人を検知していないときには発光装置２０が点灯し、センサ装置１０が人を検知したときに発光装置２０が消灯してもよい。
【０１１０】
人の在否提示システム２００は、さらに具体的には、トイレ内に人がいるかどうかを提示することができる。また、人の在否提示システム２００は、防犯システムなどにも適用可能である。
【０１１１】
なお、人の在否提示システム２００は、所定の空間内における人の在否を、当該所定の空間外の人に提示できる。したがって、人の在否提示システム２００の使用は、部屋に限定されるものではない。
【０１１２】
［変形例４］
上述のように、発光装置２０とセンサ装置１０とは別体であるため、例えば、人が歩行して移動する場合に、当該人の進行方向の先に存在する空間がタイミングよく照らされるように、発光装置２０とセンサ装置１０とが配置されてもよい。
【０１１３】
図１１は、実施の形態１の変形例４に係る照明システム１００ａの構成概要を示す図である。本変形例に係る照明システム１００ａは、１つの発光装置２０と、２つのセンサ装置１０とを備える。発光装置２０は、上記実施の形態１と同じく照明装置５０に備えられている。
【０１１４】
具体的には、照明装置５０は、建物内の階段１５０を照らすように、天井１４０における階段１５０の上方の位置に配置されている。また、階段１５０によって接続された上階と下階のそれぞれにセンサ装置１０が配置されている。なお、これら２つのセンサ装置１０を区別するために、下階に配置されたセンサ装置１０をセンサ装置１０ｅと表記し、上階に配置されたセンサ装置１０をセンサ装置１０ｆと表記する。つまり、センサ装置１０ｅは、下階の天井１４０に設置されており、センサ装置１０ｆは、上階の天井１４０に設置されている。
【０１１５】
例えば、人が階段１５０を通って下階から上階へ上がる場合、階段１５０の手前（図１１における階段１５０の右側）の所定の位置において、人の存在がセンサ装置１０ｅのセンサ部１１によって検知される。これにより、センサ装置１０ｅの第一無線通信部１２から、発光装置２０に制御信号が送信される。その結果、発光装置２０は点灯し、その後、所定期間（例えば１分）経過した後に消灯する。つまり、人が階段１５０を上がっている期間を含む所定期間は、発光装置２０からの照明光によって階段１５０が照らされる。
【０１１６】
また、例えば、人が階段１５０を通って上階から下階へ下りる場合、階段１５０の手前（図１１における階段１５０の左側）の所定の位置において、人の存在がセンサ装置１０ｆのセンサ部１１によって検知され、これにより、センサ装置１０ｆの第一無線通信部１２から、発光装置２０に制御信号が送信される。その結果、発光装置２０は点灯し、その後、所定期間（例えば１分）経過した後に消灯する。つまり、人が階段１５０を下りている期間を含む所定期間は、発光装置２０からの照明光によって階段１５０が照らされる。
【０１１７】
なお、人が階段１５０を通って下階及び上階の一方から他方へ移動する場合、下階のセンサ装置１０ｅ及び上階のセンサ装置１０ｆの双方で人が検出されるため、発光装置２０は、センサ装置１０ｅ及びセンサ装置１０ｆの双方から制御信号を受信する。つまり、発光装置２０は、最初に受信した制御信号に応じて発光モジュール２５を点灯させている期間に、さらに制御信号を受信する。この場合、発光装置２０の制御部２３は、２回目の制御信号（点灯期間中に受信した制御信号）を無視してもよい。これにより、無駄になる可能性がある点灯期間を削減できる。
【０１１８】
また、発光装置２０の制御部２３は、２回目の制御信号を受信してから所定期間が経過するまで、発光モジュール２５の点灯を維持し、当該所定期間の経過後に発光モジュール２５を消灯させてもよい。つまり、発光装置２０の制御部２３は、点灯期間中に制御信号を受信した場合、点灯期間のリスタートを行ってもよい。これにより、例えば比較的に短い期間内において２人が連続して階段１５０を通過する場合に、当該２人が階段１５０を通過する期間の途中で発光装置２０が消灯する事態の発生が防止される。
【０１１９】
また、発光装置２０の制御部２３は、２回目の制御信号の発信元と、最初の制御信号の発信元とが異なる場合は、２回目の制御信号を無視し、これらの発信元が同一である場合は、点灯期間中の制御信号の受信に基づく点灯期間のリスタートを行ってもよい。なお、２つの制御信号の発信元の同異の判断は、これら制御信号に付される（または含まれる）、送信元のセンサ装置１０を示す識別情報に基づいて行われてもよい。
【０１２０】
このように、発光装置２０の制御部２３は、外部の装置から無線送信される信号を受信した場合、当該信号の内容、受信のタイミング、当該信号の発信元等に応じて各種の発光制御を行ってもよい。
【０１２１】
ここで、仮に、階段１５０の上方に配置された発光装置２０が人感センサを備えている場合、人感センサの検知範囲を広げることで、階段１５０に向かってくる人を検出することが可能な場合もある。しかし、人感センサの検知範囲の拡大は、誤検知の可能性を高める要因ともなる。また、階段１５０の上方に配置された１つの人感センサによって下階及び上階の両方を平等に検知することは困難である（例えば、上階に存在する人は精度よく検知できるが、下階に存在する人は検知し難いなど）。さらに、階段１５０が比較的に長い場合、または、階段１５０の経路が水平方向に曲がっている場合などにおいて、階段１５０に到達していない人を、発光装置２０が備える人感センサが検知できないことも考えられる。
【０１２２】
しかしながら、本変形例に係る照明システム１００ａによれば、階段１５０を挟んで存在する２つの空間（下階及び上階）のそれぞれに、センサ装置１０が配置される。そのため、階段１５０を使って２つの空間の一方から他方に移動する人を、ほぼ確実に検知することができる。これにより、例えば、階段１５０を使って移動する人の利便性または安全性が向上される。
【０１２３】
なお、図１１において、下階及び上階それぞれに設置されたスイッチ９１は、例えば３路スイッチであり、発光装置２０の口金２１（受電部）への電力供給のオン及びオフを切り替えるスイッチの一例である。また、２つのスイッチ９１のそれぞれは、スイッチカバー９０によって壁１６０に固定されている。これら２つのスイッチ９１のそれぞれは、通常は、電力系統３０から発光装置２０への電力供給がなされる状態のままに維持され、発光装置２０は、２つのセンサ装置１０からの制御信号に従って点灯し、所定期間の経過後に消灯する。
【０１２４】
従って、２つのスイッチ９１のいずれか一方を操作することで、電力系統３０から発光装置２０への電力供給を停止させること（電力供給をオフにすること）ができる。つまり、発光装置２０を強制的に点灯しない状態にすることができる。例えば、階段１５０を照らす必要がない場合であって、階段１５０の近くで何らかの作業を人が行う場合に、２つのスイッチ９１のいずれか一方を操作することで、発光装置２０の点灯を禁止することができる。
【０１２５】
なお、発光装置２０への電力供給がオフにされないように、例えば、２つのスイッチ９１のそれぞれの操作を禁止するためのカバーを、２つのスイッチ９１それぞれに配置してもよい。
【０１２６】
（実施の形態２）
上記実施の形態１及びその変形例では、主として、センサ装置１０が天井に配置される場合における、センサ装置１０または発光装置２０の構成または動作について説明した。しかしながら、センサ装置は壁に配置されてもよい。また、センサ装置は、人（ユーザ）が、センサ装置に情報または指示を与えるための構成を備えてもよい。
【０１２７】
そこで、実施の形態２として、ユーザインタフェースを備えるセンサ装置及びそのセンサ装置を備える照明システムについて、上記実施の形態１との差分を中心に説明する。
【０１２８】
［照明システムの構成及び効果等］
図１２は、実施の形態２に係るセンサ装置８０の外観を示す斜視図である。図１３は、実施の形態２に係るセンサ装置８０の配置態様の一例を示す斜視図である。図１４は、実施の形態２に係る照明システム１０１の機能構成を示すブロック図である。
【０１２９】
図１２〜図１４に示すように、実施の形態２に係るセンサ装置８０は、屋内の壁１６０に配置される装置であって、ユーザによる操作が可能なボタン等を備える装置である。具体的には、実施の形態２に係るセンサ装置８０は、実施の形態１に係るセンサ装置１０と同じく、センサ部１１と第一無線通信部１２とを備え、さらに、入力部８２と指示受付部８５とを備える。また、第一無線通信部１２が備えるアンテナ１２ａは、例えば、本体部８１の内部に収容されている。
【０１３０】
なお、センサ装置８０は、センサ装置１０と同じく、電池ホルダ１４（図１２〜図１４に図示せず）を備えており、電池ホルダ１４に保持される電池１３から供給される電力によって動作する。また、図１２に示すように、センサ装置８０は、センサ装置８０が動作可能である場合に点灯するインジケータ８９（図１４に図示せず）を有している。例えば、電池１３からの供給電力によってセンサ部１１等が動作中である場合、インジケータ８９は点灯し、センサ部１１等が動作中でない場合、インジケータ８９は消灯する。
【０１３１】
また、実施の形態２に係る照明システム１０１は、図１４に示すように、２つのセンサ装置８０と、１つの発光装置２０とを備える。実施の形態２に係る発光装置２０は、実施の形態１に係る発光装置２０と同様に、照明装置５０に組み込まれた状態で、照明システム１０１に備えられている。
【０１３２】
発光装置２０を有する照明装置５０は、例えば、屋内の階段の上方に配置され、階段１５０によって接続された下階及び上階のそれぞれにセンサ装置８０が配置される。なお、本実施の形態において、下階に配置されたセンサ装置８０をセンサ装置８０ａと表記し、上階に配置されたセンサ装置８０をセンサ装置８０ｂと表記する。
【０１３３】
上記構成を有す照明システム１０１において、センサ装置８０のセンサ部１１が人を検知した場合、センサ装置８０から発光装置２０に制御信号（検知結果）が送信され、これにより、発光装置２０が点灯する。この点については、上記実施の形態１に係る照明システム１００と共通する。
【０１３４】
しかし、本実施の形態に係るセンサ装置８０は、発光装置２０の発光を停止させるための信号を発光装置２０に送信する点で、上記実施の形態１に係る照明システム１００とは異なる。具体的には、センサ装置８０が備える第一無線通信部１２は、センサ部１１の検知結果を無線送信する機能に加え、発光装置２０が有する発光モジュール２５の発光を停止させるための停止信号を無線送信する機能を備えている。
【０１３５】
また、本実施の形態に係る発光装置２０の制御部２３は、発光モジュール２５を発光させた後に、第二無線通信部２４が停止信号を受信した場合、発光モジュール２５の発光を停止させる。
【０１３６】
つまり、本実施の形態では、発光装置２０は、点灯を開始して所定期間の経過後に消灯する機能を有する必要はなく、センサ装置８０からの指示（停止信号）に従って消灯すればよい。すなわち、本実施の形態に係る照明システム１０１では、発光装置２０の点灯及び消灯を、センサ装置８０からの指示によって一元管理することが可能である。
【０１３７】
この場合、第一無線通信部１２は、センサ部１１の検知結果を無線送信してから所定の時間が経過した後に、停止信号を無線送信してもよい。例えば、第一無線通信部１２は、センサ部１１が人を検知することで、発光装置２０を点灯させるための制御信号を無線送信した場合、その無線送信から所定期間（例えば１分）が経過した後に、停止信号を無線送信する。これにより、発光装置２０を、適切な時間だけ点灯させた後に、自動的に消灯させることができる。
【０１３８】
また、上記所定期間は、固定値としてセンサ装置８０に保持されていてもよいが、本実施の形態では、ユーザによる変更が可能な値として、センサ装置８０に保持される。具体的には、センサ装置８０は、所定期間の入力を受け付ける入力部８２を有しており、第一無線通信部１２は、入力部８２が所定期間の入力を受け付けた場合、検知結果（制御信号）を無線送信してから当該所定期間が経過した後に、停止信号を無線送信する。
【０１３９】
より詳細には、入力部８２は、図１２に示すように、ユーザが点灯保持時間を設定するための点灯保持時間設定部８２ａを有している。点灯保持時間設定部８２ａは、本実施の形態では、つまみを上下方向に移動させることで、点灯保持時間（つまり、発光装置２０の点灯から消灯までの所定期間）を、センサ装置８０に入力することができるスライダーである。
【０１４０】
これにより、例えば、ユーザは、自身の歩行速度、発光装置２０の設置位置、または、発光装置２０とセンサ装置８０との間の距離等に応じて決定した所定期間を、センサ装置８０に入力することができる。なお、入力部８２によって入力された所定期間を示す情報は、例えば、センサ装置８０が備える記憶部（図示せず）に記憶される。第一無線通信部１２は、センサ部１１による検知結果を無線送信した場合、当該記憶部に記憶された情報に示される所定期間が経過したことを契機として、停止信号を無線送信する。無線送信された停止信号は、発光装置２０の第二無線通信部２４によって受信され、その結果、発光装置２０の制御部２３は、発光モジュール２５を消灯させる。
【０１４１】
また、本実施の形態では、図１２及び図１４に示すように、センサ装置８０が備えるセンサ部１１は、人感センサ１１ａと照度センサ１１ｂとを備えている。つまり、本実施の形態に係るセンサ部１１は、センサ装置８０が設置された環境の明るさを検知することもできる。本実施の形態に係る照明システム１０１では、これら種類の異なる２つのセンサ（人感センサ１１ａと照度センサ１１ｂ）による検知結果を用いて、例えば以下のような制御を実行することができる。
【０１４２】
例えば、照度センサ１１ｂが検知した照度が第一閾値以下である場合、人感センサ１１ａが人を検知していない場合であっても、第一無線通信部１２は、発光装置２０を点灯させるための制御信号を送信する。その結果、発光装置２０の制御部２３は、発光モジュール２５を点灯させる。つまり、センサ装置８０は、周囲が暗い場合は、人を検知しない場合であっても、発光装置２０を点灯させる。その後、照度センサ１１ｂが検知した照度が第一閾値を超えた場合、第一無線通信部１２は停止信号を無線送信し、発光装置２０は、停止信号に従って発光モジュール２５を消灯させる。
【０１４３】
また、例えば、照度センサ１１ｂが検知する照度が第二閾値（例えば、第二閾値＞第一閾値）以上である場合、人感センサ１１ａが人を検知した場合であっても、第一無線通信部１２は、発光装置２０を点灯させるための制御信号を送信しない。つまり、センサ装置８０は、周囲が明るい場合は、人を検知した場合であっても、発光装置２０を点灯させない。
【０１４４】
このように、本実施の形態に係るセンサ装置８０では、センサ部１１が、人感センサ１１ａと照度センサ１１ｂとを有することで、人の存在の有無と、周囲の環境の明るさとを考慮した発光装置２０の発光制御を行うことができる。これにより、例えば、照明システム１０１が設置された空間の明るさを適切に維持することができる。また、照明システム１０１の省エネルギー化が図られる。
【０１４５】
なお、本実施の形態に係る入力部８２はさらに、図１２に示すように、ユーザが照度センサ１１ｂの感度を調整するための照度センサ設定部８２ｂを有している。照度センサ設定部８２ｂは、本実施の形態では、つまみを上下方向に移動させることで、照度センサの感度を調整することができるスライダーである。例えば、ユーザは、照度センサ１１ｂの感度を高くすることで、センサ装置８０の周囲が僅かに暗くなったことを契機として、発光装置２０が点灯するように、センサ装置８０を設定することができる。
【０１４６】
さらに、本実施の形態に係るセンサ装置８０は、停止信号の送信の指示を受け付ける指示受付部８５を有し、第一無線通信部１２は、指示受付部８５が当該指示を受け付けた場合、停止信号を無線送信する。
【０１４７】
本実施の形態では、指示受付部８５は、図１２に示すように、ユーザが操作可能なボタン８５ａを有し、ボタン８５ａがユーザによって押されることで、ユーザからの指示を受け付けることができる。この場合、２つのセンサ装置８０のそれぞれを、発光装置２０（照明装置５０）をオン及びオフさせるための３路スイッチまたは４路スイッチとして使用することが可能である。
【０１４８】
例えば、図１２及び図１３に示すように、センサ装置８０を、発光装置２０の口金２１（受電部）への電力供給のオン及びオフを切り替えるスイッチ９１を覆うように配置する。つまり、発光装置２０への電力供給をオン及びオフすることで発光装置２０の点灯及び消灯を切り替えることができる、壁１６０に設けられたスイッチ９１（例えば「壁スイッチ」と呼ばれる。）を、発光装置２０への電力供給がオンとなる状態にしたまま、スイッチ９１を覆うようにセンサ装置８０を配置する。これにより、ユーザによるスイッチ９１の操作が行われない状態にする。
【０１４９】
この状態において、ユーザが、ボタン８５ａを押した場合、第一無線通信部１２から停止信号が無線送信され、点灯していた発光装置２０は、停止信号を受信することで消灯する。なお、センサ装置８０を壁１６０に固定するための手法に特に限定はない。例えば、スイッチ９１を壁１６０に固定するスイッチカバー９０と本体部８１とが、ねじ止め、接着、吸着、または嵌合等によって機械的に接続されることで、センサ装置８０が壁１６０に固定されてもよい。
【０１５０】
ここで、スイッチ９１は、人が操作することを前提とする機器であるため、一般に、人が操作しやすい位置に配置されている。そのため、スイッチ９１を覆うようにセンサ装置８０が配置されることで、センサ装置８０が備えるボタン８５ａ等のユーザインタフェースの操作のしやすさが確保される。また、センサ装置８０が備えるセンサ部１１による人の検知の確実性も確保される。
【０１５１】
また、スイッチ９１（スイッチカバー９０）の上から、センサ装置８０を取り付けるため、例えば、スイッチ９１が配置されたスイッチカバー９０に、センサ部１１等の要素を組み込む場合に必要となる工事は不要である。
【０１５２】
［照明システムの動作例］
上記のように、既存の壁スイッチ（スイッチ９１）を覆うように配置されたセンサ装置８０を備える照明システム１０１の具体的な動作例を、図１５Ａ及び図１５Ｂを参照しながら説明する。
【０１５３】
図１５Ａは、実施の形態２に係る照明システム１０１の動作例を示す第１の図であり、図１５Ｂは、実施の形態２に係る照明システム１０１の動作例を示す第２の図である。
【０１５４】
例えば、発光装置２０が消灯している状態において、図１５Ａに示すように、下階に存在するユーザが、階段１５０を使って上階に行こうとした場合、下階の壁１６０に設置されたセンサ装置８０ａのセンサ部１１（人感センサ１１ａ）がユーザを検知する。その結果、制御信号がセンサ装置８０ａから無線送信され、その制御信号を受信した発光装置２０は点灯する（例えば、図７参照）。
【０１５５】
その後、発光装置２０によって照らされた階段１５０を上がって上階に到達したユーザが、上階の壁１６０に設置されたセンサ装置８０ｂのボタン８５ａを押した場合を想定する。この場合、ボタン８５ａを含む指示受付部８５は、停止信号の送信の指示を受け付け、その結果、センサ装置８０ｂから停止信号が無線送信され、その停止信号を受信した発光装置２０は消灯する。また、ユーザが、センサ装置８０ｂのボタン８５ａを押さずに通過した場合は、上述のように、発光装置２０を点灯させたセンサ装置８０ａから、所定期間の経過後に停止信号が送信され、その結果、発光装置２０は消灯する。
【０１５６】
つまり、階段１５０を通って下階及び上階の一方から他方に移動するユーザは、当該他方に配置されたセンサ装置８０のボタン８５ａを押すことで、発光装置２０を消灯させることができる。これにより、例えば、ユーザにとって不要な点灯期間を削減することができる。すなわち、ボタン８５ａ（指示受付部８５）を備えるセンサ装置８０によれば、従来の３路スイッチまたは４路スイッチと同等の機能を実現することができる。また、ユーザがセンサ装置８０のボタン８５ａを押さない場合であっても、センサ装置８０からの停止信号によって自動的に発光装置２０は消灯するため、発光装置２０の点灯が長時間継続することはない。
【０１５７】
このように、本実施の形態に係る照明システム１０１によれば、階段１５０を挟んで下階及び上階のそれぞれに配置されるセンサ装置８０が、発光装置２０を消灯させるための停止信号をユーザの指示に従って送信することができる。そのため、照明システム１０１では、センサ装置８０による発光装置の自動点灯及び自動消灯と、ユーザの意思による発光装置２０の強制消灯との両方が実行可能である。
【０１５８】
なお、発光装置２０の消灯期間中に、センサ装置８０から停止信号が無線送信された場合、発光装置２０の制御部２３は、発光モジュール２５を点灯させてもよい。例えば、昼間の時間帯などセンサ装置８０の周囲が比較的に明るい場合、人感センサ１１ａが人を検知した場合であっても、発光装置２０を点灯させるための制御信号が送信されない場合がある。この状況は、上述のように、センサ部１１が備える照度センサ１１ｂによって検知される照度が、第二閾値以上である場合に生じる。この場合において、ユーザが、階段１５０が存在する空間をさらに明るくしたいと考えた場合、ボタン８５ａを押すことで、センサ装置８０から停止信号が無線送信され、消灯状態にある発光装置２０は、停止信号を受信することで点灯する。
【０１５９】
つまり、センサ装置８０が備えるボタン８５ａ（指示受付部８５）は、操作されることで、発光装置２０に、点灯及び消灯の一方から他方への切り替えを行わせる操作部として機能させてもよい。すなわち、センサ装置８０から無線送信される停止信号が、「点灯の停止」を明示する場合であっても、発光装置２０の制御部２３は、消灯期間中に停止信号を受信した場合は、停止信号に応じて発光モジュール２５を点灯させてもよい。また、指示受付部８５が指示を受けることで第一無線通信部１２から無線送信される信号は、「点灯の停止」を明示する必要はなく、「点灯及び消灯の一方から他方への切り替え」を意味する所定の信号であってもよい。この場合、当該所定の信号を受信した発光装置２０の制御部２３は、発光モジュール２５が点灯している場合は、発光モジュール２５を点灯させ、発光モジュール２５が消灯している場合は、発光モジュール２５を消灯させてもよい。
【０１６０】
また、本実施の形態では、発光装置２０が、センサ装置８０からの信号に従って、点灯または消灯するとしたが、発光装置２０は、センサ装置８０からの信号に従って、他の種類の発光制御を行ってもよい。
【０１６１】
例えば、発光装置２０は、センサ装置８０から無線送信された制御信号を受信した場合、発光モジュール２５の発光色の色温度が上がるように発光モジュール２５を調色制御してもよい。また、例えば、発光装置２０は、センサ装置８０から無線送信された制御信号を受信した場合、点灯状態の発光モジュール２５をさらに明るく光らせるように発光モジュール２５を調光制御してもよい。
【０１６２】
（その他の実施の形態）
以上、実施の形態に係る照明システム、及び、人の在否提示システムについて説明したが、本発明は、上記実施の形態に限定されるものではない。
【０１６３】
例えば、上記実施の形態１及び２において、センサ装置１０及び８０のそれぞれは、内蔵する電池１３から供給される電力で動作するとした。しかし、センサ装置１０及び８０のそれぞれは、外部電源から供給される電力で動作してもよく、この場合、電力を受けるためのプラグを備えてもよい。
【０１６４】
図１６は、プラグ８６を備えるセンサ装置８０ｃの配置態様の一例を示す斜視図である。
【０１６５】
図１６に示すセンサ装置８０ｃは、実施の形態２に係るセンサ装置８０（図１４参照）が備える構成要素のうちの、電池１３以外の構成要素を備えており、発光装置２０への制御信号の送信等の、センサ装置８０と共通する機能を有している。センサ装置８０ｃはさらに、本体部８１ａの背面側に配置された、一対の金属製の棒体を有するプラグ８６を有している。センサ装置８０ｃは、プラグ８６が、例えば壁１６０に配置されたコンセント９６に挿入されることで、電力系統３０からの電力供給を受けることができ、かつ、コンセント９６を保持するコンセントカバー９５の前面側にセンサ装置８０ｃを配置することができる。
【０１６６】
つまり、プラグ８６を備えるセンサ装置８０ｃでは、プラグ８６が、外部からの電力供給を受ける部材、及び、所定の位置へのセンサ装置８０ｃの固定のための部材として機能する。これにより、センサ装置８０ｃの電池交換が不要となり、また、センサ装置８０ｃの配置のための作業が容易化される。
【０１６７】
なお、センサ装置８０ｃは、プラグ８６を介して受け取る交流電力を直流電力に変換するコンバータ（図示せず）を備えることで、直流電力によって動作することができる。
【０１６８】
また、実施の形態１に係るセンサ装置１０がプラグを備える場合、本体部１５の背面（例えば、図２及び図３における本体部１５の上面）に、プラグを備えてもよい。この場合、例えば、天井６０に配置されたコンセントに当該プラグを挿入することで、センサ装置１０は、商用電源からの電力供給を受けることができ、かつ、センサ装置１０の天井６０へ取り付けがなされる。
【０１６９】
また、実施の形態１及び２に係るセンサ装置１０及び８０のそれぞれは、複数の発光装置に対して制御信号等の信号を無線送信してもよい。例えば、センサ装置１０または８０から無線送信される信号の到達範囲内に複数の発光装置２０が配置されている場合、これら複数の発光装置２０は、センサ装置１０または８０から無線送信される制御信号に従って一斉に点灯してもよい。
【０１７０】
また、センサ装置１０から無線送信される信号の到達範囲内に複数の発光装置２０が配置されている場合、これら複数の発光装置２０は、センサ装置１０から無線送信される停止信号に従って一斉に消灯してもよい。また、センサ装置１０から停止信号が無線送信された場合、複数の発光装置２０のうちの、点灯状態にある１以上の発光装置が消灯し、かつ、複数の発光装置２０のうちの、消灯状態にある１以上の発光装置が点灯してもよい。つまり、センサ装置１０から所定の信号が無線送信された場合、当該所定の信号を受信する複数の発光装置の状態が、点灯状態及び消灯状態の一方から他方に一斉に切り替えられてもよい。
【０１７１】
また、上記の実施の形態１及び２では、発光装置は、電球形ランプであるとして説明されたが、発光装置は、規格化された構造の受電部を有する、他の態様の光源または照明用光源として実現されてもよい。発光装置は、例えば、直管形のランプ又は環状のランプとして実現されてもよい。また、受電部は、ライティングダクトまたはシーリングライトが取り付けられる引掛シーリングボディに取り付け可能な端子部であってもよい。ライティングダクト及び引掛シーリングボディは、照明用の電力供給部の一例である。
【０１７２】
また、上記実施の形態では、発光装置に用いる発光素子としてＬＥＤ素子（ＬＥＤチップ）が例示された。しかしながら、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子等の他の種類の固体発光素子が、発光素子として採用されてもよい。
【０１７３】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７４】
また、各構成要素は、回路（または集積回路）でもよい。これらの構成要素は、全体として１つの回路によって実現されてもよいし、それぞれ別々の回路で実現されてもよい。また、これらの回路は、それぞれ、汎用的な回路でもよいし、専用の回路でもよい。
【０１７５】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、センサ装置及びセンサ装置と別体の発光装置を備える照明システムが実行する照明方法として実現されてもよい。また、本発明は、センサ装置及びセンサ装置と別体の発光装置を備える照明システムが実行する人の在否提示方法として実現されてもよい。
【０１７６】
また、上記実施の形態において説明された照明システム、及び、人の在否提示システムの動作における複数の処理の順序は一例である。複数の処理の順序は、変更されてもよいし、複数の処理は、並行して実行されてもよい。
【０１７７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１７８】
１０、１０ａ、１０ｂ、１０ｃ、１０ｄ、１０ｅ、１０ｆ、８０、８０ａ、８０ｂ、８０ｃ  センサ装置
１１  センサ部
１２  第一無線通信部
１３  電池
１４  電池ホルダ
１６  可動機構（機構）
２０、２０ｄ  発光装置
２１  口金（受電部）
２３  制御部
２４  第二無線通信部
２５  発光モジュール（発光部）
４１ａ  ソケット（照明用の電力供給部）
８２  入力部
８５  指示受付部
８６  プラグ
１００、１００ａ、１０１  照明システム
２００  在否提示システム
【図１】
2017091930.tif 000003
【図２】
2017091930.tif 000004
【図３】
2017091930.tif 000005
【図４】
2017091930.tif 000006
【図５】
2017091930.tif 000007
【図６】
2017091930.tif 000008
【図７】
2017091930.tif 000009
【図８Ａ】
2017091930.tif 000010
【図８Ｂ】
2017091930.tif 000011
【図８Ｃ】
2017091930.tif 000012
【図９】
2017091930.tif 000013
【図１０】
2017091930.tif 000014
【図１１】
2017091930.tif 000015
【図１２】
2017091930.tif 000016
【図１３】
2017091930.tif 000017
【図１４】
2017091930.tif 000018
【図１５Ａ】
2017091930.tif 000019
【図１５Ｂ】
2017091930.tif 000020
【図１６】
2017091930.tif 000021